(57)【特許請求の範囲】
【請求項１】
アーチ屋根の弧状の先端縁部を覆う略半円弧状横断面部を有する複数の装飾瓦を、前記弧状の先端縁部に沿って連接して設置するためのアーチ屋根における先端装飾瓦の取付け構造であって、
前記アーチ屋根の先端部分における前記装飾瓦の略半円弧状横断面部の下方に配置されて、野地板の上面に沿って弧状に取り付けられる台座部材と、
該台座部材の先端側の面の少なくとも一部を覆うと共に、前記野地板の先端面から下方に延設して設けられる水切りプレート部材と、
前記台座部材の背側の面の少なくとも一部を覆うと共に、背側に延設して少なくとも前記装飾瓦の下方に位置する部分の野地板の上面を覆って設けられる背側プレート部材と、
前記水切りプレート部材及び背側プレート部材の少なくとも上端部分を外側から重ね合わせるようにして覆うと共に、前記台座部材の上面を覆って設けられる笠木プレート部材と、
前記略半円弧状横断面部が前記台座部材を上方から覆って固定されて、前記略半円弧状横断面部の先端側端部から下方に延設するスカート部が前記水切りプレート部材の下方延設部分を覆う前記装飾瓦とからなることを特徴とするアーチ屋根における先端装飾瓦の取付け構造。
【請求項２】
前記装飾瓦の取付け位置より後方部分のアーチ屋根は、屋根葺きプレート部材によって葺かれており、前記背側プレート部材は該屋根葺きプレート部材と接続一体化している請求項１に記載のアーチ屋根における先端装飾瓦の取付け構造。
【請求項３】
前記野地板を覆って防水下地材が敷設される請求項１又は２に記載のアーチ屋根における先端装飾瓦の取付け構造。
【請求項４】
前記台座部材を覆って防水テープが貼着される請求項１〜３のいずれかに記載のアーチ屋根における先端装飾瓦の取付け構造。
【請求項５】
前記台座部材は、長手方向に分断されることなく弧状に一体として連続する部材である請求項１〜４のいずれかに記載のアーチ屋根における先端装飾瓦の取付け構造。
【請求項６】
前記水切りプレート部材、背側プレート部材、及び笠木プレート部材は、端部を重ね合わせつつ複数の部材を弧状に連続配置して設けられる請求項１〜５のいずれかに記載のアーチ屋根における先端装飾瓦の取付け構造。
【発明の詳細な説明】
【０００１】
【発明の属する技術分野】
本発明はアーチ屋根における先端装飾瓦の取付け構造に関し、特にアーチ屋根の弧状の先端縁部を覆う略半円弧状横断面部を有する複数の装飾瓦を、弧状の先端縁部に沿って連接して設置するためのアーチ屋根における先端装飾瓦の取付け構造に関する。
【０００２】
【従来の技術及び発明が解決しようとする課題】
アーチ屋根は、外周部分が弧状の横断面形状を有するカマボコ形状の屋根であって、当該外周部分が曲面となっていることから、粘土やセメント等を原料として形成され、可撓性を有していない硬い材料である屋根瓦を縦横に整列させて敷き並べることが困難である。従ってアーチ屋根は、その外周部分を、折り曲げ加工が容易なカラー鉄板や銅板、アルミニウム板等のプレート部材を用い、これらを曲面に沿った形状に加工して葺いたものが一般的であった。
【０００３】
一方、近年の建物の外観の多様化等に鑑み、住宅建築物に趣を取り入れることにより外観意匠を向上させた建物として、屋根瓦をアーチ屋根に取り付けた建物が要望されている。また特に、アーチ屋根の弧状の先端縁部を覆って屋根瓦を連接配置することにより、施工の簡易化を図りつつ屋根瓦による外観意匠の向上を効果的に図ることができるものと考えられる。
【０００４】
しかしながら、アーチ屋根に屋根瓦を取り付けるにあたって、未だ確立された施工手段は開発されておらず、現場での個々の対応になるため施工にばらつきが生じ、施工時間や施工コストが嵩むと共に、施工計画や補修計画を立案しにくかった。また、曲面に沿って硬い屋根瓦を複数連接して取り付けることになるため、隣接する屋根瓦の間に隙間が生じやすく、このような隙間から侵入する水に対する防水機能を付与する必要がある。
【０００５】
本発明は、このような従来の課題に着目してなされたもので、確立された簡易な施工方法によって弧状の先端縁部に屋根瓦を取り付けて行くことができると共に、確実な防水機能が付与されたアーチ屋根における先端装飾瓦の取付け構造を提供することを目的とする。
【０００６】
【課題を解決するための手段】
本発明は、アーチ屋根の弧状の先端縁部を覆う略半円弧状横断面部を有する複数の装飾瓦を、前記弧状の先端縁部に沿って連接して設置するためのアーチ屋根における先端装飾瓦の取付け構造であって、前記アーチ屋根の先端部分における前記装飾瓦の略半円弧状横断面部の下方に配置されて、野地板の上面に沿って弧状に取り付けられる台座部材と、該台座部材の先端側の面の少なくとも一部を覆うと共に、前記野地板の先端面から下方に延設して設けられる水切りプレート部材と、前記台座部材の背側の面の少なくとも一部を覆うと共に、背側に延設して少なくとも前記装飾瓦の下方に位置する部分の野地板の上面を覆って設けられる背側プレート部材と、前記水切りプレート部材及び背側プレート部材の少なくとも上端部分を外側から重ね合わせるようにして覆うと共に、前記台座部材の上面を覆って設けられる笠木プレート部材と、前記略半円弧状横断面部が前記台座部材を上方から覆って固定されて、前記略半円弧状横断面部の先端側端部から下方に延設するスカート部が前記水切りプレート部材の下方延設部分を覆う前記装飾瓦とからなることを特徴とするアーチ屋根における先端装飾瓦の取付け構造を提供することにより、上記目的を達成したものである（請求項１記載の発明）。
【０００７】
本発明のアーチ屋根における先端装飾瓦の取付け構造によれば、前記装飾瓦の取付け位置より後方部分のアーチ屋根は、屋根葺きプレート部材によって葺かれており、前記背側プレート部材は該屋根葺きプレート部材と接続一体化していることが好ましい（請求項２記載の発明）。
【０００８】
また、前記野地板を覆って防水下地材が敷設されていることが好ましい（請求項３記載の発明）。
【０００９】
さらに、前記台座部材を覆って防水テープが貼着されていることが好ましい（請求項４記載の発明）。
【００１０】
さらにまた、前記台座部材は、長手方向に分断されることなく弧状に一体として連続する部材であることが好ましい（請求項５記載の発明）。
【００１１】
また、前記水切りプレート部材、背側プレート部材、及び笠木プレート部材は、端部を重ね合わせつつ複数の部材を弧状に連続配置して設けられていることが好ましい（請求項６記載の発明）。
【００１２】
【発明の実施の形態】
以下本発明の好ましい実施形態を添付図面を参照しつつ詳細に説明する。本実施形態に係るアーチ屋根における先端装飾瓦の取付け構造は、例えば図１〜図３に示すように、住宅建物の玄関前のポーチ部に設けられた前室の屋根部を形成する、外周部分が弧状の横断面形状となったカマボコ形状の屋根であるアーチ屋根１０の先端縁部に沿って、半円弧状横断面部１２を有する複数の装飾瓦１１を連接して設置するために採用されたものである。
【００１３】
そして、本実施形態の先端装飾瓦の取付け構造は、図４にも示すように、アーチ屋根１０の先端部分における装飾瓦１１の略半円弧状横断面部１２の下方に配置されて、野地板１３の上面に沿って弧状に取り付けられる台座部材１４と、この台座部材１４の先端側の面の少なくとも一部を覆うと共に、野地板１３の先端面から下方に延設して設けられる水切りプレート部材１５と、台座部材１４の背側の面の少なくとも一部を覆うと共に、背側に延設して少なくとも装飾瓦１１の下方に位置する部分の野地板１３の上面を覆って設けられる背側プレート部材１６と、水切りプレート部材１５及び背側プレート部材１６の少なくとも上端部分を外側から重ね合わせるようにして覆うと共に、台座部材１４の上面を覆って設けられる笠木プレート部材１７と、略半円弧状横断面部１２が台座部材１４を上方から覆って固定されて、略半円弧状横断面部１２の先端側端部から下方に延設するスカート部１８が水切りプレート部材１５の下方延設部分としての水切り部レート部１５ｃを覆う上述の装飾瓦１１とによって構成されている。
【００１４】
また、本実施形態によれば、装飾瓦１１の取付け位置より後方部分のアーチ屋根１０は、屋根葺きプレート部材としての本体カラー鉄板２０，２１によって葺かれており、背側プレート部材１６はこの本体カラー鉄板２０，２１と接続一体化している。
【００１５】
台座部材１４は、野地板１３の湾曲する上面に沿って弧状に取り付けられる木製の部材であって（図５参照）、例えば幅４５ｍｍ程度、高さ３６ｍｍ程度の矩形断面の下方台座１４ａの上面に、幅４５ｍｍ程度、高さ２１ｍｍ程度の矩形断面の上方台座１４ｂを重ね合わせることにより、全体として幅４５ｍｍ程度、高さ５７ｍｍ程度の矩形の断面形状を有している。下方台座１４ａ及び上方台座１４ｂは、弧状のアーチ屋根１０と同じ曲率半径（例えば２２４０ｍｍ）で長手方向に湾曲すると共に当該長手方向に連続する各一本の部材として形成され、固定釘や接着剤等を介して、防水下地材としてのライナールーフィング１９が敷設された野地板１３の先端部分における、装飾瓦１１の取付け予定位置として例えばその中心が野地板１３の先端から５３ｍｍ程度離れた位置にくるように配置され、重ね合わせるように固定されることによって、台座部材１４を形成することになる。なお、台座部材１４を下方台座１４ａと上方台座１４ｂとによって構成したことにより、これらを湾曲させる加工が容易になる。
【００１６】
水切りプレート部材１５は、例えば厚さ０．３５ｍｍ程度のカラー鉄板からなり、図６及び図７（ａ），（ｂ）にも示すように、台座部材１４の先端側の面の下端から略３／４の領域を覆う立設プレート部１５ａと、立設プレート部１５ａの下端から垂直に折れ曲がって横方向に延設し、野地板１３の先端部分の上面を覆う横方向プレート部１５ｂと、横方向プレート部１５ｂから下方に折れ曲がって延設し、野地板１３の先端面を覆うと共にさらに下方に垂下する水切りプレート部１５ｃとからなる。また水切りプレート部１５ｃは、内側に折れ曲がったつぶし部１５ｄをその下端に備えている。水切りプレート部材１５は、弧状のアーチ屋根１０と同じ曲率半径（例えば２２４０ｍｍ）で長手方向に湾曲するように加工されると共に、当該長手方向に２分割された部材として形成され、例えば１００ｍｍ程度以上の重ねしろを設けつつ、固定釘等を介して台座部材１４及び野地板１３に固定設置される。
【００１７】
背側プレート部材１６は、後述する図１０（ａ），（ｂ）に示すような、屋根葺きプレート部材としての本体カラー鉄板２０，２１の先端部分及び先端立上り部２０ａ，２１ａによって構成される。すなわち、背側プレート部材１６は、図６に示すように、台座部材１４の背側の面の下端から略３／４の領域を覆う立設プレート部が本体カラー鉄板２０，２１の先端立上り部２０ａ，２１ａによって形成されると共に、取り付けられた装飾瓦１１（図４参照）の下方に位置する部分の野地板１３の上面を覆う横方向プレート部が、本体カラー鉄板２０，２１の先端部分２０ｂ，２１ｂによって形成されることになる。
【００１８】
笠木プレート部材１７は、例えば厚さ０．３５ｍｍ程度のカラー鉄板からなり、図６及び図８（ａ），（ｂ）に示すように、台座部材１４の天端面を覆う天端プレート部１７ａと、天端プレート部１７ａの両端から垂直下方に延設し、水切りプレート部材１５及び背側プレート部材１６の上端部分を各々４０ｍｍ程度の重ねしろで外側から覆う一対の垂下プレート部１７ｂとからなる。また垂下プレート部１７ｂは、内側に折れ曲がったつぶし部１７ｃをその下端に備えている。笠木プレート部材１７は、弧状のアーチ屋根１０と同じ曲率半径（例えば２２４０ｍｍ）で長手方向に湾曲するように加工されると共に、当該長手方向に２分割された部材として形成され、例えば１００ｍｍ程度以上の重ねしろを設けつつ固定釘等を介して台座部材１４に固定設置される。
【００１９】
装飾瓦１１は、粘土やセメント等を原料として形成される例えば厚さ１８ｍｍ程度の瓦部材であって、図４及び図１３（ａ）〜（ｃ）に示すように、台座部材１４を上方から覆って配置される例えば半径８０ｍｍ程度の略半円弧状横断面部１２と、装飾瓦１１がアーチ屋根１０に取り付けられた際に略半円弧状横断面部１２の先端側に位置する端部から例えば６０ｍｍ程度の長さで下方に延設するスカート部１８とからなる。また装飾瓦１１は、例えば２５０ｍｍ程度の長さを有し、アーチ屋根１０の弧状の先端縁部に沿って複数連接して取り付けられた際に、隣接する装飾瓦１１の間に隙間が生じないように、その両側の一対の側面１１ａが上方に広がるように傾斜していることによって、スカート部１８の下端における長手方向の長さＬ１よりも、略半円弧状横断面部１２の天端部における長手方向の長さＬ２の方が例えば１５ｍｍ長くなっている。
【００２０】
また、各装飾瓦１１の天端部中央には、固定用のスクリュー釘２４が取付けられる貫通孔２２が形成されており、この貫通孔２２を介して例えば７５ｍｍ程度の長さのスクリュー釘２３を台座部材１４に向かってねじ込むことにより、略半円弧状横断面部１２によって台座部材１４を上方から覆った状態で、各装飾瓦１１がアーチ屋根１０の先端縁部に強固に固定されることになる。なお、弧状の先端縁部の両端に配置される装飾瓦は、図１４に示すように、長手方向の片側の面に目隠板２５が設けられた特殊形状の装飾瓦１１’となっており、この特殊形状の装飾瓦１１’を両端部に取り付けることにより、先端縁部の両側を各々目隠しして、装飾瓦１１，１１’によるアーチ屋根１０の装飾性を向上させることができるようになっている。
【００２１】
本実施形態によれば、装飾瓦１１の取付け位置より後方部分のアーチ屋根１０は、図１及び図３に示すように、屋根葺きプレート部材としての本体カラー鉄板２０，２１によって葺かれている。本体カラー鉄板２０，２１は、図９及び図１０（ａ），（ｂ）に示すように、アーチ屋根１０の中央頂上部に配置される頂部本体カラー鉄板２０と、頂部本体カラー鉄板２０を挟んだ両側に複数敷設される側部本体カラー鉄板２１とからなる。また、アーチ屋根１０の両側端部には、捨唐草カラー鉄板２６が取り付けられる。
【００２２】
頂部本体カラー鉄板２０は、厚さ０．３５ｍｍ程度のカラー鉄板からなり、例えば幅２８０ｍｍ、長さ１４００ｍｍ程度の帯状の平面形状を備え、アーチ屋根１０の湾曲面と同様の曲率で幅方向に湾曲していると共に、その先端に垂直に立設する先端立上り部２０ａを有している。当該先端立上り部２０ａを台座部材１４の背側の面に当接させて配置することにより、当該先端立上り部２０ａと頂部本体カラー鉄板２０の先端部分とによって背側プレート部材１６が構成され、且つ頂部本体カラー鉄板２０の後端部分は、住宅建物の外壁（図３，図６参照）２７に近接して配置される。頂部本体カラー鉄板２０の両側端部は、下方に鋭角に折れ曲がった折り返し係止部２８が形成されており、この折り返し係止部２８を隣接する側部本体カラー鉄板２１の第１折り返し係止部２９に係止することにより、頂部本体カラー鉄板２０と側部本体カラー鉄板２１とが、アーチ屋根１０の周方向に接合一体化される。
【００２３】
側部本体カラー鉄板２１もまた、厚さ０．３５ｍｍ程度のカラー鉄板からなり、例えば幅２００ｍｍ、長さ１４００ｍｍ程度の帯状の平面形状を備え、アーチ屋根１０の湾曲面と同様の曲率で幅方向に湾曲していると共に、その先端に垂直に立設する先端立上り部２１ａを有している。当該先端立上り部２１ａを台座部材１４の背側の面に当接させて配置することにより、当該先端立上り部２１ａと側部本体カラー鉄板２１の先端部分とによって背側プレート部材１６が構成され、且つ側部本体カラー鉄板２１の後端部分は、住宅建物の外壁２７に近接して配置される。側部本体カラー鉄板２１のアーチ屋根１０の上流側に配置される側端部には、上方に鋭角に折れ曲がった第１折り返し係止部２９が形成されており、またアーチ屋根１０の下流側に配置される側端部には、下方に鋭角に折れ曲がった第２折り返し係止部３０が形成されている。第１折り返し係止部２９や第２折り返し係止部３０を、隣接する頂部本体カラー鉄板２０や側部本体カラー鉄板２１の折り返し係止部２８、第２折り返し係止部３０、或いは第１折り返し係止部２９に係止することにより、頂部本体カラー鉄板２０と複数の側部本体カラー鉄板２１とが、アーチ屋根１０の周方向に接合一体化される（図９参照）。
【００２４】
なお、図１０（ａ）に示すように、各側部本体カラー鉄板２１の第１折り返し係止部２９には、外側に展開して釘孔３２が形成された吊子３１が設けられていると共に、先端立上り部２１ａにもまた釘孔３３が形成されており、後述するように湾曲するアーチ屋根１０の両側端部から上流側に向かって順次側部本体カラー鉄板２１を敷設してゆく際に、これらの釘孔３２，３３に釘を打ち込んで、各側部本体カラー鉄板２１を固定してゆくことができるようになっている。
【００２５】
そして、本実施形態の先端装飾瓦の取付け構造によれば、確立された以下のような簡易な施工方法によって、アーチ屋根１０の弧状の先端縁部に装飾瓦１１を容易に取り付けて行くことができる。すなわち、図５及び図６に示すように、装飾瓦１１を取り付けるのに先立って、アーチ屋根１０の外周部分を構成する野地板１３の上面に、カラー鉄板２０，２１や装飾瓦１１によってアーチ屋根１０を葺くための下地処理として、野地板１３の全面を覆って防水下地材としてのゴムアスファルトルーフィング１９を敷設する。また、アーチ屋根１０が接合する住宅建物の外壁２７にも、ゴムアスファルトルーフィング３４が２重に取り付けられると共に、アーチ屋根１０のゴムアスファルトルーフィング１９と外壁２７のゴムアスファルトルーフィング３４との接合部に跨って、防水材としての伸縮性防水テープである例えばフレスクラップ３５（商品名、デュポン社製）が、Ｌ字形断面形状に取り付けられる。
【００２６】
次に、ゴムアスファルトルーフィング１９が敷設された野地板１３の先端部分における、装飾瓦１１の取付け予定位置に下方台座１４ａと上方台座１４ｂとを重ね合わせるように取り付けることによって、台座部材１４が設けられると共に、台座部材１４を覆って、天端面、前面、背面、及び両小口面に防水テープ３６を張り付ける。
【００２７】
台座部材１４を設置した後、野地板１３の上面に頂部本体カラー鉄板２０及び側部本体カラー鉄板２１を取り付ける。本体カラー鉄板２０，２１を敷設してゆく作業は、図９に示すように湾曲するアーチ屋根１０の両側端部に捨唐草カラー鉄板２６を取り付けた後、下流側から上流側に向かって、側部本体カラー鉄板２１と頂部本体カラー鉄板２０とを順次取り付けてゆく。すなわち、図１１に示すように、下流側に位置する側部本体カラー鉄板２１の第１折り返し係止部２９に、下流側に位置する側部本体カラー鉄板２１の第２折り返し係止部３０を引っかけるように係止すると共に、シーリング材３７を介在させて外側から当該係止部分を叩きつぶすことにより、隣接する側部本体カラー鉄板２１を順次接合一体化してゆく。また図１２に示すように、頂部に至った側部本体カラー鉄板２１の第１折り返し係止部２９にシーリング材３７を施すと共に、図９に示すように頂部本体カラー鉄板２０の折り返し係止部２８を引っかけるように係止し、当該係止部分を外側から叩きつぶすことにより、接合一体化された頂部本体カラー鉄板２０と複数の側部本体カラー鉄板２１とによってアーチ屋根１０の外周面が葺かれることになる。
【００２８】
しかる後に、図６に示すように、台座部材１４の先端側の面に水切りプレート部材１５を取り付けると共に、水切りプレート部材１５及び背側プレート部材１６の上端部分と台座部材１４の上面を覆って笠木プレート部材１７を取り付けることにより、アーチ屋根１０の先端部分の防水施工を行う。
【００２９】
さらに、水切りプレート部材１５、背側プレート部材１６、及び笠木プレート部材１７によって周囲を覆われた台座部材１４に、図４に示すように、スクリュー釘２４を介して装飾瓦１１，１１’を固定してゆくことにより、アーチ屋根１０の先端縁部に沿って複数の装飾瓦１１，１１’が連接して設置され、本実施形態のアーチ屋根１０における先端装飾瓦の取付け構造が設けられることになる。
【００３０】
そして、本実施形態の先端装飾瓦の取付け構造によれば、確実な防水機能が付与されることになる。すなわち、装飾瓦１１，１１’が取り付けられる台座部材１４は、水切りプレート部材１５、背側プレート部材１６、及び笠木プレート部材１７によって覆われて防止性が確保されており、隣接する１１，１１’の接合部の隙間から雨水等の水が侵入しても、侵入した水をアーチ屋根１０の湾曲面に沿って下流側に、或いは水切りプレート部材１５の水切りプレート部１５ｃを介して先端から下方に排除することができ、これによって野地板１３に水を浸透させることなく、確実な防水機能が得られることになる。
【００３１】
従って、本実施形態の先端装飾瓦の取付け構造によれば、確立された簡易な施工方法によってアーチ屋根１０の弧状の先端縁部に装飾瓦１１，１１’を容易に取り付けて行くことができると共に、確実な防水機能が付与されるので、住宅建築物に趣を取り入れた意匠性に優れたアーチ屋根を、長期間に亘って楽しむことが可能になる。
【００３２】
なお、本発明は、上記実施形態に限定されることなく種々の変更が可能である。例えば、本発明のアーチ屋根における先端装飾瓦の取付け構造は、住宅建物の玄関ポーチ部に設けられるアーチ屋根に限定されることなく、種々の建築物のアーチ屋根の先端縁部に装飾瓦を取り付けるための取付け構造として採用することができる。また、装飾瓦の取付け位置より後方部分のアーチ屋根は、屋根葺きプレート部材によって葺かれている必要は必ずしもなく、瓦やその他の屋根葺き材料によって葺かれていても良い。さらに、背側プレート部材は屋根葺きプレート部材と接続一体化しているものである必要は必ずしもなく、屋根葺きプレート部材と別体として設けられるものであっても良い。
【００３３】
【発明の効果】
以上詳細に説明したように、本発明のアーチ屋根における先端装飾瓦の取付け構造によれば、確立された簡易な施工方法によってアーチ屋根の弧状の先端縁部に装飾瓦を容易に取り付けて行くことができると共に、確実な防水機能が付与されるので、住宅建築物に趣を取り入れた意匠性に優れたアーチ屋根を、長期間に亘って楽しむことができる。
【図面の簡単な説明】
【図１】本発明の一実施形態に係るアーチ屋根における先端装飾瓦の取付け構造を採用した住宅建物の要部斜視図である。
【図２】本発明の一実施形態に係るアーチ屋根における先端装飾瓦の取付け構造を採用した玄関前のポーチ部の要部正面図である。
【図３】本発明の一実施形態に係るアーチ屋根における先端装飾瓦の取付け構造を採用した玄関前のポーチ部の要部側面図である。
【図４】本発明の一実施形態に係るアーチ屋根における先端装飾瓦の取付け構造の構成を説明する断面図である。
【図５】アーチ屋根に下地処理を施す状況を説明する斜視図である。
【図６】装飾瓦を取り付ける前のアーチ屋根の構成を説明する断面図である。
【図７】水切りプレート部材を説明する、（ａ）は斜視図、（ｂ）は断面図である。
【図８】笠木プレート部材を説明する、（ａ）は斜視図、（ｂ）は断面図である。
【図９】屋根葺きプレート部材によってアーチ屋根を葺く状況を説明する断面図である。
【図１０】（ａ）は側部本体カラー鉄板の斜視図、（ｂ）は頂部本体カラー鉄板の斜視図である。
【図１１】側部本体カラー鉄板を順次接合一体化する状況を説明する断面図である。
【図１２】アーチ屋根の頂部に頂部本体カラー鉄板を取り付ける前の状態を示す略示斜視図である。
【図１３】装飾瓦を説明する（ａ）は斜視図、（ｂ）は側面図、（ｃ）は正面図である。
【図１４】特殊装飾瓦を説明する斜視図である。
【符号の説明】
１０  アーチ屋根
１１，１１’  装飾瓦
１２  半円弧状横断面部
１３  野地板
１４  台座部材
１５  水切りプレート部材
１５ｃ  水切りプレート部（水切りプレート部材の下方延設部分）
１６  背側プレート部材
１７  笠木プレート部材
１８  スカート部
１９  ゴムアスファルトルーフィング（防水下地材）
２０  頂部本体カラー鉄板
２１  側部本体カラー鉄板
２２  貫通孔
２３  スクリュー釘
３６  防水テープ
【図１】
0003820362.tif 000002
【図２】
0003820362.tif 000003
【図３】
0003820362.tif 000004
【図４】
0003820362.tif 000005
【図５】
0003820362.tif 000006
【図６】
0003820362.tif 000007
【図７】
0003820362.tif 000008
【図８】
0003820362.tif 000009
【図９】
0003820362.tif 000010
【図１０】
0003820362.tif 000011
【図１１】
0003820362.tif 000012
【図１２】
0003820362.tif 000013
【図１３】
0003820362.tif 000014
【図１４】
0003820362.tif 000015